【手続補正書】
【提出日】平成17年6月27日(2005.6.27)
【手続補正１】
【補正対象書類名】明細書
【補正対象項目名】発明の名称
【補正方法】変更
【補正の内容】
【発明の名称】制振装置
【手続補正２】
【補正対象書類名】明細書
【補正対象項目名】特許請求の範囲
【補正方法】変更
【補正の内容】
【特許請求の範囲】
【請求項１】
構造物の梁及び柱に囲まれた空間内に分割して取り付けられた一対のパネルと、
該パネルに連結されて該パネルの変位に対して減衰力を発生するダンパと、
該パネルに連結されて該パネルの変位に対して摩擦力を発生する摩擦部材とを設けたことを特徴とする制振装置。
【請求項２】
前記ダンパを前記パネル間に設け、
前記摩擦部材を前記ダンパとは並列に前記パネル間に設けたことを特徴とする請求項１に記載の制振装置。
【手続補正３】
【補正対象書類名】明細書
【補正対象項目名】０００１
【補正方法】変更
【補正の内容】
【０００１】
【発明の属する技術分野】
本発明は制振装置に係り、特に構造物の振動エネルギを吸収するよう構成された制振装置に関する。
【手続補正４】
【補正対象書類名】明細書
【補正対象項目名】０００４
【補正方法】変更
【補正の内容】
【０００４】
【発明が解決しようとする課題】
ところが、住宅の近くを自動車が通過する際に生じる交通振動のような比較的小さな振動エネルギが付与された場合には、油圧ダンパのピストンがシリンダ内を摺動せず、減衰力が発生されない。そのため、比較的振幅が小さく周波数の高い振動が構造物に伝播したときは、油圧ダンパが振動を吸収することができず、自動車が近くを通行する度に構造物が振動することになる。よって、従来は、ブレースダンパが組み込まれて耐震性が向上しているにもかかわらず、交通振動のような小さな振動を十分に制振することができないといった問題がある。
【手続補正５】
【補正対象書類名】明細書
【補正対象項目名】０００５
【補正方法】削除
【補正の内容】
【手続補正６】
【補正対象書類名】明細書
【補正対象項目名】０００６
【補正方法】変更
【補正の内容】
【０００６】
そこで、本発明は上記問題を解決した制振装置を提供することを目的とする。
【手続補正７】
【補正対象書類名】明細書
【補正対象項目名】０００７
【補正方法】変更
【補正の内容】
【０００７】
【課題を解決するための手段】
上記課題を解決するため、本発明は以下のような特徴を有する。
上記請求項１記載の発明は、構造物の梁及び柱に囲まれた空間内に分割して取り付けられた一対のパネルと、該パネルに連結されて該パネルの変位に対して減衰力を発生するダンパと、該パネルに連結されて該パネルの変位に対して摩擦力を発生する摩擦部材とを設けたことを特徴とするものである。
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】変更
【補正の内容】
【０００９】
また、請求項２記載の発明は、請求項１において、前記ダンパを前記パネル間に設け、前記摩擦部材を前記ダンパとは並列に前記パネル間に設けたことを特徴とするものである。
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】変更
【補正の内容】
【００１５】
【発明の実施の形態】
以下、図面と共に本発明の実施の形態について説明する。
図１は本発明になる制振装置の前提となる参考技術１が構造物に取り付けられた状態を示す正面図である。制振壁パネル１０は、住宅用建物等の構造物の壁の一部として組み込まれて構造物の振動を制振する。この制振壁パネル１０は、構造物の基礎１２上に固定され、且つ両側が構造物の柱１３，１４に固定される。そして、制振壁パネル１０の上部は、柱１３，１４間に装架された梁１５に固定される。
【手続補正１６】
【補正対象書類名】明細書
【補正対象項目名】００１７
【補正方法】変更
【補正の内容】
【００１７】
図２は参考技術１の制振装置を示す正面図である。また、図３は図２中Ｄ−Ｄ線に沿う縦断面図である。図２及び図３に示すように、制振壁パネル１０は、長方形に組まれた枠体１６と、枠体１６内の上下部分に分割して組まれた一対のパネル１７，１８と、一対のパネル１７，１８間に装架された一対のステー１９，２０と、一対のステー１９，２０間に連結された油圧ダンパ２１とから構成されている。
【手続補正１７】
【補正対象書類名】明細書
【補正対象項目名】００２８
【補正方法】変更
【補正の内容】
【００２８】
図４は本発明の参考技術２が構造物に取り付けられた状態を示す正面図である。また、図５は図４中Ｅ−Ｅ線に沿う縦断面図である。尚、図４及び図５において、上記参考技術１と同一部分には同一符号を付してその説明は省略する。
図４及び図５に示されるように、制振壁パネル１０Ａのステー１９，２０間には、２つの油圧ダンパ２１Ａ，２１Ｂが並列に配設されている。このように２つの油圧ダンパ２１Ａ，２１Ｂが上側パネル１７と下側パネル１８との間の相対変位を緩衝するため、大地震などのような大きな振動エネルギが入力される場合でも有効に制振動作することができる。
【手続補正１８】
【補正対象書類名】明細書
【補正対象項目名】００２９
【補正方法】変更
【補正の内容】
【００２９】
また、２つの油圧ダンパ２１Ａ，２１Ｂは、上記参考技術１の場合よりも容量に小さく減衰力の小さいものを組み合わせることにより参考技術１の場合と同等の減衰力を得るようにしても良い。この場合、油圧ダンパ２１Ａ，２１Ｂの外径が小径化できので、制振壁パネル１０Ａの薄型化にも対応することができる。
図６は本発明の参考技術３の制振装置が構造物に取り付けられた状態を示す正面図である。
【手続補正１９】
【補正対象書類名】明細書
【補正対象項目名】００３２
【補正方法】変更
【補正の内容】
【００３２】
図７は本発明の第１実施例の制振装置が構造物に取り付けられた状態を示す正面図である。また、図８は第１実施例の制振装置を示す正面図である。また、図９は図８中Ａ−Ａ線に沿う縦断面図である。尚、図７乃至図９において、上記参考技術１〜３と同一部分には同一符号を付してその説明を省略する。
図７乃至図９に示すように、制振壁パネル１１は、長方形に組まれた枠体１６と、枠体１６内の上下部分に分割して組まれた一対のパネル１７，１８と、一対のパネル１７，１８間に装架された一対のステー１９，２０と、一対のステー１９，２０間に連結された油圧ダンパ２１と、微小振動を制振するための摩擦部材３８から構成されている。
【手続補正２０】
【補正対象書類名】明細書
【補正対象項目名】００３５
【補正方法】変更
【補正の内容】
【００３５】
ここで、地震による振動エネルギが構造物に伝播されると、制振壁パネル１１は枠体１６が平行四辺形となる方向に変形する。これにより、上側パネル１７と下側パネル１８との間で水平方向（図７に示す振動方向）の相対変位が生ずる。その結果、ステー１９，２０が振動方向に平行移動する。
これにより、ステー１９と２０との離間距離は、上側パネル１７と下側パネル１８との間の相対変位が大となるにしたがって大きくなるように変化する。よって、制振壁パネル１１に入力される振動エネルギが大となると、油圧ダンパ２１は減衰力を発生させて振動エネルギを吸収して振動による加速度を減速させる。これにより制振壁パネル１１は、枠体１６に入力された振動を制振することができる。
【手続補正２１】
【補正対象書類名】明細書
【補正対象項目名】００３９
【補正方法】変更
【補正の内容】
【００３９】
図１１は本発明の第２実施例の構成を示す正面図である。また、図１２は図１０中Ｂ−Ｂ線に沿う縦断面図である。尚、図１１及び図１２において、上記第１実施例と同一部分には同一符号を付してその説明を省略する。
図１１及び図１２に示されるように、制振壁パネル５１は、枠体１６と、一対のパネル１７，１８と、上側パネル１７に固定された上側ステー５２と、下側パネル１８に固定された下側ステー５３と、上側ステー５２の下端と下側ステー５３の上端との間に連結された油圧ダンパ２１と、上側パネル１７と下側パネル１８との間で上下方向に延在する摩擦ユニット５４，５５とから構成されている。
【手続補正２２】
【補正対象書類名】明細書
【補正対象項目名】００４２
【補正方法】変更
【補正の内容】
【００４２】
摩擦ユニット５４，５５は、略同一構成であるので、図１２に示す摩擦ユニット５５の構成について説明する。図１３は摩擦ユニット５５の内部構造を拡大して示す縦断面図である。
図１３に示されるように、摩擦ユニット５５は、上側の補強板３４にボルト５６により固定された上側ブラケット５７と、下側の補強板３５にボルト５８により固定された下側ブラケット５９と、上側ブラケット５７の下面から突出するスタッドボルト６０に螺合された摩擦ケース６１とから構成されている。
【手続補正２３】
【補正対象書類名】明細書
【補正対象項目名】００４７
【補正方法】変更
【補正の内容】
【００４７】
図１５は本発明の第３実施例の構成を示す正面図である。尚、図１５において、上記第１，２実施例と同一部分には同一符号を付してその説明を省略する。
図１５に示されるように、制振壁パネル７１は、枠体１６と、一対のパネル１７，１８と、上側パネル１７に固定された上側ステー５２と、下側パネル１８に固定された下側ステー５３と、上側ステー５２の下端と下側ステー５３の上端との間に連結された油圧ダンパ２１と、上側パネル１７と枠体１６との間に設けられた摩擦用上側ステー７２と、下側パネル１８と枠体１６との間に設けられた摩擦用下側ステー７３とから構成されている。
【手続補正２４】
【補正対象書類名】明細書
【補正対象項目名】００５１
【補正方法】変更
【補正の内容】
【００５１】
図１６は本発明の第４実施例の構成を示す正面図である。尚、図１６において、上記第１〜３実施例と同一部分には同一符号を付してその説明を省略する。
図１６に示されるように、制振壁パネル８１は、枠体１６と、一対のパネル１７，１８と、上側パネル１７に固定された上側ステー７２と、下側パネル１８に固定された下側ステー７３と、上側パネル１７の下端と枠体１６の支柱２２との間で傾斜された状態で取り付けられた第１の油圧ダンパ２１Ａと、下側パネル１８の上端と枠体１６との間で傾斜された状態で取り付けられた第２の油圧ダンパ２１Ｂと、上側パネル１７の上部と枠体１６に取り付けられた結合部材２７との間に設けられた摩擦用上側ステー７２と、下側パネル１８の下部と枠体１６に取り付けられた結合部材３０との間に設けられた摩擦用下側ステー７３とから構成されている。
【手続補正２５】
【補正対象書類名】明細書
【補正対象項目名】００５３
【補正方法】変更
【補正の内容】
【００５３】
そして、油圧ダンパ２１Ａ，２１Ｂは、上側パネル１７と下側パネル１８とが相対変位すると両端の連結部間（軸８２ａと軸８３ａとの間、軸８４ａと軸８５ａとの間）との離間距離が変化するため、減衰力を発生させて制振壁パネル８１に伝播された振動を制振する。ここで、地震による振動エネルギが構造物に伝播されると、制振壁パネル８１は枠体１６が平行四辺形となる方向に変形する。そのため、上側パネル１７と下側パネル１８との間で水平方向（図１６に示す振動方向）の相対変位が生ずる。その結果、油圧ダンパ２１Ａ，２１Ｂの両端が連結された軸８２ａと軸８３ａとの間、及び軸８４ａと軸８５ａとの間との離間距離が変化する。
【手続補正２６】
【補正対象書類名】明細書
【補正対象項目名】００５７
【補正方法】変更
【補正の内容】
【００５７】
【発明の効果】
上述の如く、本発明によれば、構造物に振動が伝播されると、一対のパネル間で相対変位が生じ、比較的大きな振動エネルギをダンパにより吸収し、交通振動のような小さな振動エネルギを摩擦部材により生じた摩擦力で吸収することができる。
【手続補正２７】
【補正対象書類名】明細書
【補正対象項目名】００５８
【補正方法】削除
【補正の内容】
【手続補正２８】
【補正対象書類名】明細書
【補正対象項目名】００５９
【補正方法】削除
【補正の内容】
【手続補正２９】
【補正対象書類名】明細書
【補正対象項目名】００６０
【補正方法】削除
【補正の内容】
【手続補正３０】
【補正対象書類名】明細書
【補正対象項目名】図面の簡単な説明
【補正方法】変更
【補正の内容】
【図面の簡単な説明】
【図１】
本発明になる制振装置の前提となる参考技術１が構造物に取り付けられた状態を示す正面図である。
【図２】
参考技術１の制振壁パネルを示す正面図である。
【図３】
図２中Ｄ−Ｄ線に沿う縦断面図である。
【図４】
本発明の参考技術２が構造物に取り付けられた状態を示す正面図である。
【図５】
図４中Ｅ−Ｅ線に沿う縦断面図である。
【図６】
本発明の参考技術３の制振装置が構造物に取り付けられた状態を示す正面図である。
【図７】
本発明の第１実施例の制振装置が構造物に取り付けられた状態を示す正面図である。
【図８】
第１実施例の制振装置を示す正面図である。
【図９】
図８中Ａ−Ａ線に沿う縦断面図である。
【図１０】
摩擦部材の取付構造を示す縦断面図である。
【図１１】
本発明の第２実施例の構成を示す正面図である。
【図１２】
図１１中Ｂ−Ｂ線に沿う縦断面図である。
【図１３】
摩擦ユニットの内部構造を拡大して示す縦断面図である。
【図１４】
摩擦ケースの形状を示す図である。
【図１５】
本発明の第３実施例の構成を示す正面図である。
【図１６】
本発明の第４実施例の構成を示す正面図である。
【符号の説明】
１０，１０Ａ，１０Ｂ，１０Ｃ，１１，５１，７１，８１  制振壁パネル
１２  基礎
１３，１４  柱
１５  梁
１６  枠体
１７  上側パネル
１８  下側パネル
１９，２０ ステー
２１  油圧ダンパ
２１Ａ  第１の油圧ダンパ
２１Ｂ  第２の油圧ダンパ
２２，２３  パネル支柱
２４  上側梁
２５  下側梁
２６〜３１  結合部材
３４，３５  補強板
３８，６２  摩擦部材
４２  ピストンロッド
４４  シリンダ
５２  上側ステー
５３  下側ステー
５４，５５  摩擦ユニット
５７  上側ブラケット
５９  下側ブラケット
６１  摩擦ケース
６３  コイルバネ
７２  摩擦用上側ステー
７３  摩擦用下側ステー
７４，７５  補強板
８２〜８５  ブラケット